(57)【特許請求の範囲】
【請求項１】
袋状に縫製したトリムカバーの開口部を下向きにしてシートバックを構成するフレーム及びこのフレームに支持されるクッション体を被覆し、且つシートバックの背裏側に位置する開口部の一端部に内側に折り返す折返部を延設し、この折返部と前記一端部との間に樹脂プレートを上下方向に向けて介在させると共に、前記折返部側に吊り部材を一体に縫着し、この吊り部材をシートバックの前面側に位置する開口部の他端部に結着することにより、前記トリムカバーの開口部を閉口して背裏側の下端に舌状の装飾片を有するシートバックにおいて、
前記装飾片を構成する樹脂プレートの上部を、縫糸Ａにより前記一端部、折返部、吊り部材の基端部と共に一体に縫着し、この縫糸Ａでの縫着個所に対する下方位置において、樹脂プレートを、前記一端部を除く折返部、吊り部材に対し縫糸Ｂにより一体に縫着してなるシートバックの被覆構造。
【発明の詳細な説明】
【０００１】
【産業上の利用分野】
本発明は車両用シート（座席）におけるシートバック（背凭部）のトリムカバーによる被覆構造に関する。
【０００２】
【従来の技術】
従来の自動車用シートのシートバックには、図２に示すような構造のものがある。
図２において、図中（ＳＢ）はシートバック、（１）はトリムカバーのシートバック（ＳＢ）の背裏側を構成する背裏部、（２）は同シートバック（ＳＢ）の前面側を構成する前面部を各々示し、背裏部（１）の下端には縫糸（３０）によって舌状の装飾片（Ａ′）が設けてある。図中（ＳＣ）はシートクッションを示す。
【０００３】
以上の装飾片（Ａ′）は、図３に示すように装着され、装飾片（Ａ′）は背裏部（１）に加わるＦ1方向の力によって外方に傾斜状に跳ね上がっている。
【０００４】
この装飾片（Ａ′）は、袋状に縫製したトリムカバーの開口部に設けてあり、このトリムカバー（１）（２）はその開口部を下向きにしてシートバックを構成するフレーム（６）及びこのフレーム（６）に支持される発泡体製のクッション体（７）を被覆し、且つ背裏部（１）側の開口部の一端部（１０Ａ）に内側に折り返す折返部（１０Ｂ）を延設し、この折返部（１０Ｂ）と前記一端部との間に樹脂プレート（１１）を上下方向に向けて介在させると共に、前記折返部（１０Ｂ）側に吊り部材（１２）を一体に縫着し、この吊り部材（１２）を前面部（２）側の開口部の他端部（２０）に結着することにより、開口部を閉口している。
【０００５】
以上の吊り部材（１２）は、布地を折り返して袋状に形成し、その内部に芯材（１２Ａ）を挿通したものであり、この吊り部材（１２）は前記他端部（２０）にホッグリング（５）によって一体に結着している。
また、他端部（２０）は折り返されて内部に芯材（２０Ａ）が挿入されている。
【０００６】
以上の他端部（２０）と吊り部材（１２）との結着により、吊り部材（１２）にはＦ2方向の引張力が作用する。
【０００７】
そして、吊り部材（１２）は折返部（１０Ｂ）に一体に縫糸（４０）によって縫着され、樹脂プレート（１１）は前記一端部（１０Ａ）と折返部（１０Ｂ）と吊り部材（１２）と共に前記縫糸（３０）によって縫着されている。
【０００８】
【発明が解決しようとする課題】
従って、前述の如く、以上の装飾片（Ａ′）は、前面部（２）からの引張力（Ｆ2）と、背裏部（１）の張力（Ｆ1）とが作用するが、縫糸（３０）を基点に跳ね上がる。
【０００９】
また、前面部（２）と吊り部材（１２）との結着個所がシートバック（ＳＢ）の背裏方向から視覚される。
【００１０】
そのため、シートバック（ＳＢ）の外観品質が損なわれる不具合があった。
そこで、本発明は斯様な従来品の不具合を除去することを目的とする。
【００１１】
【課題を解決するための手段】
以上の目的を達成するための本発明は、  前記装飾片を構成する樹脂プレートの上部を、縫糸Ａにより前記一端部、折返部、吊り部材の基端部と共に一体に縫着し、この縫糸Ａでの縫着個所に対する下方位置において、樹脂プレートを、前記一端部を除く折返部、吊り部材に対し縫糸Ｂにより一体に縫着してなることを特徴とする。
【００１２】
以上の構成により、トリムカバーの前面部からの引張力が下部の縫着個所に、トリムカバーの背裏部からの張力が上部の縫着個所に各々作用し、樹脂プレートから構成される装飾片が跳ね上がることなく垂直状になる。
【００１３】
【発明の実施の形態】
以下、本発明の実施の一形態を図１に基づいて説明する。
図１において、図３と同一符号は同一部材を示し、その説明を省略する。
【００１４】
装飾片（Ａ）は、シートバック（ＳＢ）の背裏面に沿って下方に垂設されており、この装飾片（Ａ）は上部の縫糸Ａ（３）と、その下方の縫糸Ｂ（４）によって跳ね上げることがなく形成されている。
【００１５】
縫糸Ａ（３）はトリムカバーの背裏部（１）における開口部の一端部（１０Ａ）と、樹脂プレート（１１）の上部と,折返部（1０Ｂ）,吊り部材（１２）の基端部とを一体に縫着している。
【００１６】
また、縫糸Ｂ（４）は縫糸Ａ（３）に対して下方位置の樹脂プレート（１１）と,前記一端部（１０Ａ）を除く折返部（1０Ｂ）,吊り部材（１２）の先端側とを一体に縫着している。なお、この縫糸Ｂ（４）によるミシン縫いの後、縫糸Ａ（３）によるミシン縫いを行う。
【００１７】
即ち、  前記装飾片（Ａ）を構成する樹脂プレート（１１）の上部を、縫糸Ａ（３）により前記一端部（１０Ａ）、折返部（１０Ｂ）、吊り部材（１２）の基端部と共に一体に縫着し、この縫糸Ａ（３）での縫着個所に対する下方位置において、樹脂プレート（１１）を、前記一端部（１０Ａ）を除く折返部（１０Ｂ）（１０Ｂ）、吊り部材（１２）に対し縫糸Ｂ（４）により一体に縫着している。
【００１８】
以上の装飾片（Ａ）は、図２に示す従来品の如く、シートバック（ＳＢ）の背裏側における下端部に沿って形成されている。従って、樹脂プレート（１１）は上下幅が狭い長尺状で保形性を有する合成樹脂製のプレートを使用している。
【００１９】
トリムカバーの背裏部（１）には、前記従来品と同様にＦ1方向の張力が、また、吊り部材（１２）には前面部（２）からのＦ2方向の引張力が各々作用する。
【００２０】
しかし、縫糸Ａ（３）、縫糸Ｂ（４）が前述の如く、樹脂プレート（１１）を縫着しているため、装飾片（Ａ）を構成する樹脂プレートがトリムカバーの背面部（１）の延長方向に保持される。
【００２１】
【発明の効果】
本発明によれば、従来と同様に二ヶ所をミシン縫いすることにより、シートバックの背裏側における下端部に設けた装飾片の跳ね上がりを完全に防止できる。
【００２２】
また、装飾片によって袋状のトリムカバーの開口部を閉口する吊り部材と前面側の他端部との結着個所を陰蔽できる。
【００２３】
そのため、従来に対してミシン縫い個所を増すことなくシートバックの外観品質を向上させることができる。
【図面の簡単な説明】
【図１】  本発明に係る要部の断面図である。
【図２】  従来の構造の自動車用シートの斜視図である。
【図３】  従来の構造の部分断面図である。
【符号の説明】
ＳＢ      シートバック
Ａ      装飾片
１      シートバックの背裏側を構成するトリムカバー
２      シートバックの前面側を構成するトリムカバー
３      縫糸Ａ
４      縫糸Ｂ
１０Ａ      トリムカバーの開口部を構成する一端部
１０Ｂ      折返部
１１      樹脂プレート
１２      吊り部材
２０      トリムカバーの開口部を構成する他端部
【図１】
0004467700.tif 000002
【図２】
0004467700.tif 000003
【図３】
0004467700.tif 000004